(57)【特許請求の範囲】
【請求項１】
上端及び下端が開放し且つ放射線測定器の筒状のプローブの長さ寸法よりも小さな高さ寸法を有する筒状の遮蔽本体と、
該遮蔽本体の上端に設けられ、中央部分に、前記筒状のプローブを受け入れることのできる開口を有し、平面視したときに２つに分割した一対の天井蓋ハーフで構成された天井蓋と、
前記遮蔽本体の下端を脱着可能に閉塞する底蓋と、
前記遮蔽本体の下端部に設けられる井桁状の水平仕切りと、
前記遮蔽本体に回動可能な吊り下げハンドルと、
前記遮蔽本体に設けられた取っ手とを有し、作業者が手で持ち運び可能な放射線遮蔽体。
【請求項２】
前記取っ手が、前記遮蔽本体の周方向に延びている、請求項１に記載の放射線遮蔽体。
【請求項３】
前記遮蔽本体の中に収容可能な筒状の上下に開放した比較的小型の第２の遮蔽体を更に有し、
該第２の遮蔽体の中に前記筒状のプローブを挿入可能である、請求項１又は２に記載の放射線遮蔽体。
【請求項４】
前記第２の遮蔽体は、その下端開口が、前記天井蓋の開口と相補的な形状及び大きさを有する、請求項３に記載の放射線遮蔽体。
【請求項５】
前記第２の遮蔽体の下端部に上下に連通する水平仕切りが設けられている、請求項４に記載の放射線遮蔽体。
【発明の詳細な説明】
【技術分野】
【０００１】
本発明は、放射能による汚染度合いを測定するのに用いられる放射線遮蔽体に関する。
【背景技術】
【０００２】
2011年3月の東北地方太平洋沖地震及び津波（東日本大震災）に伴って発生した福島原子力発電施設の事故は、今現在に至っても環境中に大量の放射性物質を放出し続けるという結果を招いており、広域に亘る放射能汚染が社会問題となっているのは周知の通りである。東日本大震災から１年が経過してようやく国の方針が決まり、この方針に沿った除染作業が始まったところである。
【０００３】
放射能は目に見えないため、除染作業を行うに当たって除染前後の放射線量を測定して除染効果を明らかにすることが求められる。放射線測定器は様々な形態の測定器が販売されているが、一つの形態として円筒状のプローブを備え、このプローブをかざすことで対象物や空間の放射線量を測定する測定器を挙げることができる。プローブを備えた入手可能なポータブル放射線測定器を例示すれば、商品名「マルチ放射線モニタ」、「NaIシンチレーションサーベイメーター」、「GMパンケーキプローブ（東洋メディック株式会社販売）」などを挙げることができる。他の形態として矩形ボックス状の検出部を備えた携帯用多目的サーベイメーターとして、セイコー・イージーアンドジー株式会社が製造販売する「RadEye-B20」を入手することができる。
【発明の概要】
【発明が解決しようとする課題】
【０００４】
目に見えない放射能であるが故に、除染作業を請負かつ除染作業を実施する際に、除染対象がどの程度汚染され、そして除染後にどの程度まで除染効果があったのかを確認するのが望ましい。この目的のために上述した業者用の放射線測定器が使われるが、放射能汚染が広域に亘っているため、例えばプローブを測定対象（汚染した土壌など）にかざしたとしても周囲からの放射線の影響を受けて、測定対象（除染対象）に付着した放射性物質が発している放射線の他に周囲からの放射線まで検知してしまうという問題がある。
【０００５】
本発明は、かかる問題を鑑みて為されたものであり、周囲からの放射線の影響を極力低減しながら且つ入手可能な放射線測定器を使って測定対象が発する放射線を測定するための補助具としての放射線遮蔽体を提供することを目的とする。
【課題を解決するための手段】
【０００６】
上記の技術的課題は、本発明によれば、
上端及び下端が開放し且つ放射線測定器の筒状のプローブの長さ寸法よりも小さな高さ寸法を有する筒状の遮蔽本体と、
該遮蔽本体の上端に設けられ、中央部分に、前記筒状のプローブを受け入れることのできる開口を有し、平面視したときに２つに分割した一対の天井蓋ハーフで構成された天井蓋と、
前記遮蔽本体の下端を脱着可能に閉塞する底蓋と、
前記遮蔽本体の下端部に設けられる井桁状の水平仕切りと、
前記遮蔽本体に回動可能な吊り下げハンドルと、
前記遮蔽本体に設けられた取っ手とを有し、作業者が手で持ち運び可能な放射線遮蔽体を提供することにより達成される。
【０００７】
本発明の放射線遮蔽体は、底蓋を外した状態で遮蔽本体の中に計測器のプローブを差し入れる又は遮蔽本体の上に計測器を置くことによりコンクリート面や屋根などの放射線量を周囲の放射線の影響を抑えたなかで計測することができる。他方、底蓋を装着した遮蔽空間の中に計測対象物（検体）を入れ、そしてこの遮蔽空間の中に計測器のプローブを差し入れる又は天井蓋の開口に計測器を位置させることで周囲の放射線の影響を抑えたなかで計測することができる。
【０００８】
本発明の好ましい実施形態では、上記の遮蔽本体の中に収容可能な筒状の小型遮蔽体を更に有する。この小型遮蔽体を上記の遮蔽本体の中に入れることで放射線遮蔽率を高めることができる。また、この小型遮蔽体を遮蔽本体の上に載置し、そしてこの小型遮蔽体の中にプローブを挿入することで遮蔽本体の中に入れた検体やコンクリート面などの測定対象面の放射線量を計測できるだけでなく筒状のプローブや矩形ボックス状の検出部を備えた携帯用多目的サーベイメーター（上記「RadEye-B20」）による放射線測定を周囲の放射線の影響を抑えたなかで実施できると共に簡易な校正等を行うことができる。
【０００９】
本発明の更なる好ましい実施形態では、前記遮蔽本体の上に載置可能な筒状の追加の遮蔽体を更に有し、該追加の遮蔽体の周囲壁にパンケーキ型のプローブが通過可能な切欠きを備え、前記追加の遮蔽体が上蓋によって閉塞可能である。このような追加の遮蔽体を用意することで、「GMパンケーキプローブ（東洋メディック株式会社販売）」による放射線測定を周囲の放射線の影響を抑えたなかで実施することができる。
【００１０】
本発明によれば、請求項１に係る放射線遮蔽体と、小型遮蔽体と、上記の追加の遮蔽体との組み合わせによって、現在入手可能な業務用の放射線測定器の全てに適用可能な遮蔽体を提供できるだけでなく簡易な校正を行うことができる。
【図面の簡単な説明】
【００１１】
【図１】第１実施例の放射線遮蔽体の斜視図である。
【図２】第１実施例の放射線遮蔽体の吊り下げハンドルの一部を切断した拡大側面図である。
【図３】第１実施例の放射線遮蔽体の正面図である。
【図４】第１実施例の放射線遮蔽体の背面図である。
【図５】第１実施例の放射線遮蔽体の右側面図である。
【図６】第１実施例の放射線遮蔽体の左側面図である。
【図７】第１実施例の放射線遮蔽体の右側面図であり、吊り下げハンドルを倒した状態を示す。
【図８】第１実施例の放射線遮蔽体の右側面図であり、２分割した天井蓋を開いた状態を示す。
【図９】第１実施例の放射線遮蔽体の平面図である。
【図１０】第１実施例の放射線遮蔽体の吊り下げハンドルの一部を切断した拡大平面図である。
【図１１】底蓋を装着した状態の第１実施例の放射線遮蔽体の底面図である。
【図１２】底蓋を取り外した状態の第１実施例の放射線遮蔽体の底面図である。
【図１３】第１実施例の放射線遮蔽体の縦断面図であり、図３のＡ−Ａ線に沿って断面した図である。
【図１４】第１実施例の放射線遮蔽体の縦断面図であり、図９のＣ−Ｃ線に沿って断面した図である。
【図１５】第１実施例の放射線遮蔽体の横断面図であり、図３のＢ−Ｂ線に沿って断面した図である。
【図１６】変形例の放射線遮蔽体の要部の拡大斜視図である。
【図１７】図１６の変形例の放射線遮蔽体の取っ手の部分を抽出した平面図である。
【図１８】図１７と同様に取っ手の部分を抽出した斜視図であり、取っ手が揺動可能であることを説明するための図である。
【図１９】図１６、図１７に示す取っ手に指を差し入れて変形例の放射線遮蔽体を持ち上げた状態を示す図である。
【図２０】図１などに図示の第１実施例の遮蔽体を使って検体の放射線を計測する使用態様を説明するための図である。
【図２１】図１などに図示の第１実施例の遮蔽体を使ってコンクリート面や屋根などの放射線を計測する使用態様を説明するための図である。
【図２２】第２実施例の放射線遮蔽体の斜視図である。
【図２３】第２実施例の放射線遮蔽体の平面図である。
【図２４】図２３のＤ−Ｄ線に沿って切断した断面図である。
【図２５】第２実施例の放射線遮蔽体を使ってコンクリート面や屋根などの放射線を計測する使用態様を説明するための図である。
【図２６】第１実施例と第２実施例の放射線遮蔽体の組み合わせで検体の放射線を計測する使用態様を説明するための図である。
【図２７】第１実施例の遮蔽体の上に第２実施例の遮蔽体を載置してコンクリート面や検体の放射線を計測したり放射線測定器の校正などを行う使用態様を説明するための図である。
【図２８】第１実施例の遮蔽体の上に第２実施例の遮蔽体を載置する使用形態の断面図である。
【図２９】第３実施例の遮蔽体の斜視図である。
【図３０】第３実施例の遮蔽体を第１実施例の遮蔽体の上に載置して放射線を計測する使用態様の断面図である。
【発明を実施するための形態】
【実施例】
【００１２】
以下に、添付の図面に基づいて本発明の好ましい実施例を説明する。
【００１３】
図１は第１実施例の放射線遮蔽体の斜視図であり、図２は拡大した側面図である。図１、図２を参照して、第１実施例の放射線遮蔽体１００は、上下に開放した筒状の遮蔽本体２と、この遮蔽本体２の外形輪郭と相補的な形状の天井蓋４及び底蓋６との組み合わせで構成され、これら遮蔽本体２、天井蓋４、底蓋６は、放射線遮蔽材料で構成され、この実施例では、外皮としてステンレス材料、この外皮で包囲される遮蔽材料として真鍮又は鉛が採用され、外皮の中に溶融した真鍮、鉛を流し込む事により遮蔽本体２、天井蓋４、底蓋６が作られている。天井蓋４及び底蓋６は平らな上面と下面とを有しており、底蓋６は、その外周縁に上方に向けて延び且つ遮蔽本体２の外周面に遊嵌するフランジ６ａを備えている。
【００１４】
遮蔽本体２は、この実施例では、円筒形状を有しているが、これに限定されない。遮蔽本体２は、外形輪郭の断面形状として、楕円、四角形、六角形などの任意の形状を採用してもよい。また、遮蔽本体２の内周面も断面円形の形状を有しているが、これに限定されない。遮蔽本体２の内周面の断面形状として楕円、四角形、六角形などの任意の形状を採用してもよい。
【００１５】
天井蓋４は、その中央に上下に貫通した円形の開口８を有し、この実施例では、天井蓋４を２分割した２つの天井蓋ハーフ１０、１０で構成されている。天井蓋４は、遮蔽本体２と別体であってもよいが、この実施例では、各天井蓋ハーフ１０がヒンジ１２によって遮蔽本体２に連結され、一対の天井蓋ハーフ１０、１０を観音開きすることができる。好ましい態様として、天井蓋ハーフ１０、１０を閉じた状態で遮蔽本体２を持ち運ぶ際に天井蓋ハーフ１０、１０を相互に連結するフック１４を備えているのが良いが、このフック１４は必須ではなくフック１４を省いてもよい。
【００１６】
底蓋６は遮蔽本体４とは別体構造であり、測定対象に応じて、後に説明するように、底蓋６無しで遮蔽本体２を使う場合と、底蓋６を遮蔽本体２に装着して使う場合とを選択することができる。
【００１７】
図３は第１実施例の遮蔽体１００の正面図であり、図４は背面図であり、図５は右側面図であり、図６は左側面図である。図７は第１実施例の遮蔽体１００の右側面図である。この図７を参照して、重量物である遮蔽本体２は、任意であるが吊り下げハンドル１６を備えているのが持ち運びに好都合であり、吊り下げハンドル１６は図７に示すように回動自在であるのが良い。
【００１８】
図１６〜図１９は変形例の放射線遮蔽体２００を示す。これら図１６〜図１９から分かるように遮蔽本体２の側壁に取っ手１８を設けても良い。上述した第１実施例の遮蔽体１００で説明した遮蔽本体２を吊り下げるための吊り下げハンドル１６と共に/又は吊り下げハンドル１６無しで図１６〜図１９に示すように遮蔽本体２の側壁に取っ手１８が設けられる。この取っ手１８は遮蔽本体２の位置調整に都合がよく、この取っ手１８も吊り下げハンドル１６と同様に回動自在であるのが都合がよい。
【００１９】
遮蔽本体２は、前述した放射線測定器の筒状のプローブを受け入れることのできる長尺の高さ寸法を有していてもよいが、この遮蔽体１００、２００は、プローブの一部を受け入れる比較的短尺の高さ寸法に設定されている。長尺の高さ寸法に設定したときには、天井蓋４の円形開口８は筒状のプローブと測定器遮蔽本体とを連結するケーブルを受け入れることのできる直径に設定すればよい。逆に、短尺の高さ寸法に設定したときには、後に説明する図２０、図２１に図示のように、天井蓋４の開口８は筒状のプローブＰを受け入れることのできる直径に設定するのが好ましい。
【００２０】
図１３、図１４、図１５を参照して、遮蔽本体２は、その下端部に井桁状の水平仕切り２０を有しているのが好ましい。勿論、この水平仕切り２０を遮蔽本体２とは別体に作り、必要に応じて水平仕切り２０を遮蔽本体２の中に設置するようにしてもよい。
【００２１】
第１実施例の遮蔽体１００の使い方を説明すると、図２０は、底蓋６を遮蔽本体２に組み込んで、遮蔽本体２と天井蓋４と底蓋６とで遮蔽空間を形成する例を示す。遮蔽本体２の水平仕切り２０の上に皿２２に載せた測定対象の検体Ｓを載せ、そして、天井蓋４の円形開口８に筒状のプローブＰを差し込む。これにより、周囲の放射線の影響を受けること無しに検体Ｓが発する放射線量を測定できる。なお、天井蓋４の円形開口８を規定する円形輪郭とプローブＰの外形輪郭との間に隙間があったとしても、測定結果は誤差程度の違いしか無いことを本願発明者の数多くの実証データから裏付けることができる。
【００２２】
図２１は、汚染した土壌やコンクリート面を直接的に測定する例を示す。この適用例では、底蓋６無しの状態で遮蔽本体２を測定対象面（地面など）の上に置き、そして、天井蓋４の円形開口８に筒状のプローブＰを差し込むことで、測定対象面の放射線量を測定できる。
【００２３】
図２２〜図２４は第２実施例の放射線遮蔽体３００を示す。この第２実施例の放射線遮蔽体３００は筒状の形状を有し、この遮蔽体３００の下端部に、任意であるが、井桁状の水平仕切り３０２が設けられているが、この井桁状の水平仕切り３０２を遮蔽体３００と別体に作り、必要に応じて水平仕切り３０２を第２実施例の遮蔽体３００に組み込むようにしてもよい。
【００２４】
この第２実施例の遮蔽体３００は、前述した第１実施例の遮蔽体１００と一緒に使うことができるように、その外形輪郭や高さ寸法を設定するのがよい。すなわち、第２実施例の遮蔽体３００は、第１実施例の遮蔽体１００の遮蔽本体２の中に収容できる外形輪郭及び高さ寸法に設定するのがよい。従って、この第２実施例の遮蔽体３００を「小型遮蔽体」と呼んで第２実施例の遮蔽体３００を説明する。そして、この小型遮蔽体３００を受け入れる第１実施例の遮蔽体１００を「大型遮蔽体」と呼ぶ。
【００２５】
小型遮蔽体３００は、この実施例では、円筒形状を有しているが、これに限定されない。小型遮蔽体３００は、外形輪郭の断面形状として、楕円、四角形、六角形などの任意の形状を採用してもよい。また、小型遮蔽体３００の内周面も断面円形の形状を有しているが、これに限定されない。小型遮蔽体３００の内周面の断面形状として楕円、四角形、六角形などの任意の形状を採用してもよい。ただし、この小型遮蔽体３００の中に筒状のプローブＰを差し入れることができる大きさを有し、また、小型遮蔽体３００の下端開口は、前述した第１実施例の大型遮蔽体１００の天井蓋４の開口８と相補的な形状及び大きさであるのが好ましいが必ずしも必須ではない。
【００２６】
小型遮蔽体３００を使って放射線を測定する方法を説明すると、図２５は、測定対象面(地面など)の上に小型遮蔽体３００を置き、この小型遮蔽体３００の中に筒状のプローブＰを差し込むことで、測定対象面の放射線量を測定できる。この使い方の例は、放射線量の比較的低いエリアを想定した小型遮蔽体３００の使い方であると言える。また、小型遮蔽体３００の上に「GMパンケーキプローブ（東洋メディック株式会社販売）」を置くことで、測定対象面の放射線量を測定できる。
【００２７】
図２６は小型遮蔽体３００の他の使い方を例示するものである。この図２６から分かるように、大型遮蔽体１００の中に小型遮蔽体３００を挿入することで、周囲からの放射線の遮蔽効果を高めることができる。このことは、大型遮蔽体１００の遮蔽本体２の下に底蓋６を設置した場合も底蓋６を設置しない場合でも同様である。
【００２８】
この図２６に図示の使い方として、筒状のプローブＰ又は放射線測定器の簡易な校正に大型遮蔽体１００と小型遮蔽体３００との組み合わせを用いることができる。具体的な使用方法を説明すると、先ず、プローブＰ又は放射線測定器で環境中の放射線量を測定する。次いで、大型遮蔽体１００の遮蔽本体２の下に底蓋６を設置し、次いで、大型遮蔽体１００の中に収容した小型遮蔽体３００の中に検体Ｓを置いて、大型遮蔽体１００の天井蓋４を閉める。変形例として、小型遮蔽体３００の中に検体Ｓを入れ、次いで、検体Ｓを入れた小型遮蔽体３００を大型遮蔽体１００の中に入れて天井蓋４を閉めるようにしてもよい。また、底蓋６をその後で遮蔽本体２の下に設置してもよい。次いで、「GMパンケーキプローブ」（東洋メディック株式会社販売）やセイコー・イージーアンドジー株式会社が製造販売する「RadEye-B20」のような円筒形でない基準となる計測器を使って大型遮蔽体１００の天井蓋４の開口８からコリメートされて出てくる放射線量を測定する。次いで、他の放射線測定器で大型遮蔽体１００の天井蓋４の開口８から出てくる放射線量を複数回、測定してその平均を求め、基準となる放射線測定器で求めた値と比較する。これにより放射線測定器の簡易な校正を行うことができる。
【００２９】
大型遮蔽体１００と小型遮蔽体３００との組み合わせの他の使用方法を図２７、図２８を参照して具体的に説明すると、先ず底蓋６の上に遮蔽本体２を置き、そして、天井蓋４を閉じた大型遮蔽体１００の上に小型遮蔽体３００を置く。そして、この小型遮蔽体３００の中にプローブＰを差し込んで放射線量を測定する。これをバックグランドの放射線量と呼ぶ。次に、小型遮蔽体３００を取り除いて天井蓋４を開けて大型遮蔽体１００の遮蔽本体２の中に検体Ｓを設置し、そして天井蓋４を閉じた大型遮蔽体１００の上に小型遮蔽体３００を置き、この大型遮蔽体１００の上の小型遮蔽体３００の中に筒状のプローブＰを差し込んで放射線量を測定する。筒状ではない「GMパンケーキプローブ」や「RadEye-B20」の場合には、小型遮蔽体３００の上に「GMパンケーキプローブ」や「RadEye-B20」を置いて放射線量を計測する。これにより検体Ｓの放射線量を測定することができる。また、放射線測定器の係数などを利用して計算によりＢq/Kgなどの放射能量の概算を求めることができる。
【００３０】
図２９は第３実施例の遮蔽体を示し、この第３実施例の遮蔽体４００は上述した第２実施例の遮蔽体２００の変形例でもある。この第３実施例の遮蔽体４００は「GMパンケーキプローブ」（東洋メディック株式会社販売）に好適に適用可能であることから「パンケーキ形プローブ用遮蔽体」と呼ぶこととする。
【００３１】
パンケーキ形プローブ用遮蔽体４００の遮蔽本体４０２は円筒形状を有しているが、これに限定されない。遮蔽本体４０２は、外形輪郭の断面形状として、楕円、四角形、六角形などの任意の形状を採用してもよい。また、遮蔽本体４０２の内周面は円形の形状を有しているが、これに限定されず、内周面の断面形状として楕円、四角形、六角形などの任意の形状を採用してもよい。ただし、このパンケーキ形プローブ用遮蔽体４００の遮蔽本体４０２の中にパンケーキ形プローブＰpcを差し入れることができる大きさを有している。遮蔽本体４０２はその周囲壁に上方に向けて開放した切り欠き４０４を有し、この切り欠き４０４を通じてパンケーキ形プローブＰpcが遮蔽本体４０２の中にセットされる（図３０）。
【００３２】
パンケーキ形プローブ用遮蔽体４００は、また、上蓋４０４を有している。上蓋４０４は、実施例ではヒンジ４１０を介して遮蔽本体４０２に一体化されているが、上蓋４０４は遮蔽本体４０２と別体構造であってもよい。パンケーキ形プローブ用遮蔽体４００は、また、傾倒動可能な吊り下げハンドル４０８を有しているが、吊り下げハンドル４０８を省いてもよい。
【００３３】
このパンケーキ形プローブ用遮蔽体４００にあっても、前述した小型遮蔽体３００（図２５）と同様に単独で測定対象面の放射線量を測定するのに適用できるが、大型遮蔽体１００との組み合わせを用いることができる。大型遮蔽体１００とパンケーキ形プローブ用遮蔽体４００との組み合わせにおける具体的な使用方法を図３０を参照して説明すると、大型遮蔽体１００の上にパンケーキ形プローブ用遮蔽体４００を置いて、このパンケーキプローブ用遮蔽体４００の中にパンケーキ形プローブＰpcを設置することで大型遮蔽体１００の中に入れた検体Ｓ（底蓋６を設置）や底蓋６を取り除いた状態で測定対象面(地面など)の放射線量を計測することができる。
【００３４】
このパンケーキ形プローブ用遮蔽体４００においても、その下端部に井桁状の水平仕切り４１２を設けるのがよい。この水平仕切り４１２はパンケーキ形プローブ用遮蔽体４００と一体であってもよいし別体であってもよい。図３０に示す参照符号４１４は、上蓋４０４に設けられた摘みを示す。
【００３５】
以上、本発明の好ましい実施例や変形例を説明したが、本発明に従う放射線遮蔽体は、上述したステンレスなどの外皮で包囲された空間に充填する鉛や真鍮のような遮蔽材料を外皮の中に流し込む手法の他に、粒状の遮蔽材料を外皮の中に充填する手法を採用してもよい。すなわち粒状の遮蔽材料を外皮で包囲する構成を採用してもよい。これによれば、本発明に従う放射線遮蔽体を廃棄するときに、外皮の一部に孔を開けて、そして粒状の遮蔽材料を外皮の孔から流出させることで、外皮の材料と、外皮の中に充填する材料とを容易に分離させることができる。変形例として、ステンレスなどの外皮の中に、粒状のステンレス材料を充填してもよい。更なる変形例として、外皮の中に、粒状の鉛、真鍮、ステンレスなどの遮蔽金属を充填すると共に、更に、水、ホウ酸ナトリウム液のような放射線遮蔽液体を外皮の中に充填してもよい。
【００３６】
また、水平仕切り２０、３０２、４１２に関し、実施例では井桁状の形状を採用してあるが、水平仕切り２０などの目（空所）の形状は任意であり、例えば線材を渦巻き状にした形状を採用してもよい。
【符号の説明】
【００３７】
１００  第１実施例の遮蔽体
２    遮蔽本体
４    天井蓋
６    底蓋
６ａ  底蓋のフランジ
８    天井蓋の円形開口
１０    天井蓋ハーフ
１２    ヒンジ
１４    フック
１６    吊り下げハンドル
１８    取っ手
２０    水平仕切り
２２    皿
Ｓ    検体
３００  小型遮蔽体
４００  パンケーキ形プローブ用遮蔽体
【図１】
0006028261.tif 000002
【図２】
0006028261.tif 000003
【図３】
0006028261.tif 000004
【図４】
0006028261.tif 000005
【図５】
0006028261.tif 000006
【図６】
0006028261.tif 000007
【図７】
0006028261.tif 000008
【図８】
0006028261.tif 000009
【図９】
0006028261.tif 000010
【図１０】
0006028261.tif 000011
【図１１】
0006028261.tif 000012
【図１２】
0006028261.tif 000013
【図１３】
0006028261.tif 000014
【図１４】
0006028261.tif 000015
【図１５】
0006028261.tif 000016
【図１６】
0006028261.tif 000017
【図１７】
0006028261.tif 000018
【図１８】
0006028261.tif 000019
【図１９】
0006028261.tif 000020
【図２０】
0006028261.tif 000021
【図２１】
0006028261.tif 000022
【図２２】
0006028261.tif 000023
【図２３】
0006028261.tif 000024
【図２４】
0006028261.tif 000025
【図２５】
0006028261.tif 000026
【図２６】
0006028261.tif 000027
【図２７】
0006028261.tif 000028
【図２８】
0006028261.tif 000029
【図２９】
0006028261.tif 000030
【図３０】
0006028261.tif 000031